(57)【特許請求の範囲】
【請求項１】
電子マネー情報を格納するＩＣカードを接続する少なくとも２つのＩＣカード接続手段と、電子マネー情報を外部機器との間で送受するための外部機器接続端子と、前記ＩＣカード接続手段に接続された２つのＩＣカードおよび前記外部機器接続端子に接続された外部機器に対して電子マネー情報の移動を制御する演算制御手段とを備えた電子財布において、
前記外部機器接続端子に接続された外部機器に格納されている電子マネー情報の総てを受けとることを指示する一括引き出し釦を設け、
前記演算制御手段は、ＣＰＵとプログラム及びメモリを備え、前記２つのＩＣカード接続手段に２つのＩＣカードが接続されていることを検出したときには、接続された２つのＩＣカード間での電子マネー情報の移動を制御すると共に、１つのＩＣカードが接続された状態で前記一括引き出し釦が操作されたことを検出したときには、前記外部機器接続端子に接続された前記外部機器に格納されている受け取り可能な電子マネー情報の値を受け取って表示部に残高表示し、次に一括引き出し釦が操作されると該残高表示された電子マネー情報の総てまたは予め設定した値を一括して前記外部機器から前記外部機器接続端子を介して前記ＩＣカード接続手段に接続された前記ＩＣカードに受け取る制御処理を行い、更には、前記外部機器接続端子に外部機器が接続された場合であっても、前記２つのＩＣカード接続手段に２つのＩＣカードが接続されていることを検出したときには、接続された２つのＩＣカード間での電子マネー情報の移動を制御処理するようにしたことを特徴とする電子財布。
【発明の詳細な説明】
【０００１】
【発明の属する技術分野】
本発明は、貨幣に代えてＩＣカードに格納された該貨幣に相当する値（金額）を意味する電気的情報（電子マネー情報）を移動する電子マネーシステムに用いて好適な決済機能を有する電子財布に係り、特に公衆電話回線等の通信回線を介して電子マネー情報（金額情報）を移動する電子財布に関する。
【０００２】
【従来の技術】
【特許文献１】
特開平３−９２９６６号公報
【特許文献２】
特開平６−１６２０５９号公報
従来、貨幣に代えて金額に相当する電子マネー情報を移動する電子マネーシステムにおいて、電子マネー情報の移動は、例えば特許文献１に記載されているように、各人がＩＣカードを所持して店や自動販売機や銀行（以下、単に店という）を訪れ、それぞれの店に設置してある端末装置を用いて行なうようにしている。このために、各人が電子マネー情報を受け取るときには、端末装置が設置されている店を訪れ、端末装置にＩＣカードを挿入して電子マネーの補充を受けなければならない。
【０００３】
また、店に設置された端末装置は、電子マネー情報の値を入力して取り引きする機能を有しているが、例えば口座の残高の総てを引き出すにもいちいち電子マネー情報の値を入力する操作が必要であり、操作が面倒である。
【０００４】
更に、店に設置された端末装置は、電子マネー情報の値や受け取りか支払いかといった移動方向を入力して能動的に取り引きする機能を有しているが、電子マネー情報の値や移動方向を相手の端末装置が定めて動作する受動的な機能を両立させるようには構成されていない。
【０００５】
特許文献２に記載された電子マネーシステムは、電話通信手段を介して接続される電子財布を提案しているが、前述したような操作の面倒さや機能不足を解決するための手段についての開示がない。
【０００６】
【発明が解決しようとする課題】
従来の電子マネーシステムにおける電子財布は、電子マネー情報の支払いや受け取りを行うためには多くの指示操作を行うことが必要であり、操作が面倒であった。例えば、電子マネー情報の移動方向を多数の選択肢の中から選択して設定する操作が必要である。また、残高の総てや一定量の送金を行う場合などのように決められた値の電子マネー情報の移動においても、いちいち値を設定しなければならない。
【０００７】
また、取り引きの相手が電子マネーの値や取り引きの方向を指示して行う電子マネー情報の移動機能と、自ら能動的に各設定を行う取り引き機能の双方を両立させることができなかった。
【０００８】
更に、公衆電話回線を介した電子マネー情報の送受信においては、電子マネー情報の送受信が行われている間は音声情報の送受信が中止されて無音状態となるので稼働状態であることを確認しにくい状態にある。また、電話通信回線を使用した音声情報の伝達ができなくなる。
【０００９】
従って、本発明の１つの目的は、電子マネー情報の移動に対する指示操作を簡単にすることにある。具体的には、電子マネー情報の移動方向や移動金額を設定するときの指示操作を少なくすることにある。
【００１０】
本発明の他の目的は、自らは移動金額や移動方向を設定することなく電子マネー情報の移動を可能にすることにある。
【００１３】
【課題を解決するための手段】
本発明は、電子マネー情報を格納するＩＣカードを接続する少なくとも２つのＩＣカード接続手段と、電子マネー情報を外部機器との間で送受するための外部機器接続端子と、前記ＩＣカード接続手段に接続された２つのＩＣカードおよび前記外部機器接続端子に接続された外部機器に対して電子マネー情報の移動を制御する演算制御手段とを備えた電子財布において、前記外部機器接続端子に接続された外部機器に格納されている電子マネー情報の総てを受けとることを指示する一括引き出し釦を設け、前記演算制御手段は、１つのＩＣカードが接続された状態で前記一括引き出し釦が操作されたことを検出したときには、前記外部機器接続端子に接続された前記外部機器に格納されている受け取り可能な電子マネー情報の値を受け取って表示部に残高表示し、次に一括引き出し釦が操作されると該残高表示された電子マネー情報の総てまたは予め設定した値を一括して前記外部機器から前記外部機器接続端子を介して前記ＩＣカード接続手段に接続された前記ＩＣカードに受け取る制御処理を行い、更には、前記外部機器接続端子に外部機器が接続された場合であっても、前記２つのＩＣカード接続手段に２つのＩＣカードが接続されていることを検出したときには、接続された２つのＩＣカード間での電子マネー情報の移動を制御処理するようにしたことを特徴とする。
【００１９】
【発明の実施の形態】
本発明になる電子財布の第１の実施形態を図１〜図５を用いて説明する。図１は、本発明になる電子財布の第１の実施形態の構成を示すブロック図である。
【００２０】
１（１ａ，１ｂ）は電子マネー情報を格納するＩＣカード、２は電子財布本体部、３は公衆電話通信回線、４は通信回線３と接続して音声による通話を行なうための電話機、５は通信回線３と電子財布本体部２を繋ぐモデム装置、８は電子財布本体部２に設けられた外部機器接続端子、９はモデム装置５からの制御信号６により通信回線５を電話機４または該モデム装置５に繋ぎ変える回線切り換え器である。１０は回線切り換え器９により電話機４に接続される音声記録再生部、１１（１１ａ，１１ｂ）はＩＣカード１（１ａ，１ｂ）を着脱可能に接続して電子マネー情報を送受するＩＣカード接続部、１２は外部機器接続端子８に対する電子マネー情報の移動の方向を設定する送金方向切替器、１３はＩＣカード１ａ，１ｂ間の電子マネー情報の移動方向を設定するＩＣカード送金方向切替器、１４はＩＣカード１ａ，１ｂを相互に接続するか外部機器接続端子８に接続するかを設定する外部切替器、１５（１５ａ，１５ｂ）はＩＣカード１（１ａ，１ｂ）がＩＣカード接続部１１ａ，１１ｂに接続されているか否かを検出するＩＣカード検出器、１６は外部機器接続端子８から機器判別のための送出データ列１７を送出する機器判別信号送出部、１８は外部機器接続端子８からの入力された機器判別のための検出データ列１９を検出する機器応答検出部、２０は外部機器接続端子８から送金方向を示すデータを送出する送金方向データ送出部、２１は外部機器接続端子８から入力された送金方向を示すデータを検出する送金方向検出部、２２はデータ列を記憶しているデータ列記憶媒体、２３は電子マネー情報の移動を開始することを使用者が指示するときに操作する取り引き釦、２５は使用者が電子財布本体部２に動作の設定の決定を指示する決定釦、２６は移動する電子マネー情報の値（移動金額）を設定するための金額入力釦、２７は電子マネー情報の移動の方向を指示入力するための選択スイッチ、２８は金額入力釦２６で入力した値や選択スイッチ２７により選択可能な電子マネー情報の移動方向を等を表示するための表示器、２９はこの実施形態における電子財布本体部２で電子マネー情報やその他の情報信号を処理して入出力する制御処理を実行する演算処理部である。
【００２１】
なお、前記送金方向切替器１２，ＩＣカード送金方向切替器１３，外部切替器１４，機器判別信号送出部１６，機器応答検出部１８，送金方向データ送出部２０，送金方向検出部２１及び演算処理部２９は、実際には、ＣＰＵとプログラム及びメモリなどによって構成される機能手段である。
【００２２】
以上のように構成された本発明になる電子財布の動作を図２〜図５を用いて説明する。図２は、演算処理部２９での処理動作を中心にしたフローチャートであり、図１に示した電子財布における取り引き釦２３の操作入力信号を検出してから電子マネー情報の移動（送金）方向の選択指示までの処理を示している。
【００２３】
演算処理部２９は、ステップ１０１において取り引き釦２３の操作入力信号を検出すると、ステップ１０２に移ってＩＣカード検出器１５ａ，１５ｂの出力信号を検出する。ステップ１０３において、ＩＣカード１ａ，１ｂの内の１枚のみがＩＣカード接続部１１ａ，１１ｂに接続されていると判別した場合には、ステップ１０４に進んで機器判別信号送出部１６に送出データ列（１）１７を外部機器接続端子８に送出させる。このときの送出データ列（１）１７は、データ記憶部２２に書き込まれたデータ列（１）を用いる。この送出データ列（１）１７に対して、外部機器接続端子８に接続された機器、この実施形態ではモデム装置５が応答を返す。返された応答は機器応答検出部１８に受信させる。機器応答検出部１８で受信した検出データ列１９をステップ１０５において取り込み、次のステップ１０６においてこの検出データ列１９をデータ列（２）と比較する。このときのデータ列（２）には、データ記憶部２２に書き込まれたデータ列（２）を用いる。ステップ１０６の比較判別において、検出データ列１９がデータ列（２）と同一のデータ列であることを確認すると、ステップ１０７に移って該電子財布本体部２にはモデム装置５が接続されていると判断する。その後、ステップ１０８において、必要に応じてデータ記憶部２２に書き込まれたデータ列（４）を送出することでモデム装置５の初期化設定を行う。
【００２４】
前記ステップ１０６の比較判別において、検出したデータ列１９がデータ記憶部２２に書き込まれたデータ列（２）と異なっていた場合には、ステップ１０９に進んでこの検出データ列１９をデータ記憶部２２に書き込まれている次のデータ列（３）と比較する。この実施形態では、データ記憶部２２に書き込まれているデータ列（３）は、この電子財布本体部２が外部機器接続端子８からデータ記憶部２２に書き込まれたデータ列（１）と同一のデータ列を受信したときに応答するデータ列である。従って、検出データ列１９がデータ列（３）と同一であるときにはステップ１１０に移って他の使用可能な電子財布本体部が外部機器接続端子８に直接接続されているものと認識する。
【００２５】
外部機器接続端子８に使用可能な機器が接続されていることを認識した演算処理部２９は、ステップ１１１に進んで表示部２８に電子マネー情報の移動方向を選択指示させるための選択メニュー（２）画面を表示して、外部機器との間の送金（電子マネー情報の移動）制御処理に入る。
【００２６】
また、ステップ１０３，１１２において、２つのＩＣカード接続部１１ａ，１１ｂに２枚のＩＣカード１ａ，１ｂが接続されていることを検出した場合にはステップ１１３に進み、この実施形態では、外部機器接続端子８の先に接続された外部の機器の有無に係わらず、常に、２枚のＩＣカード１ａ，１ｂの間での電子マネー情報の移動方向を選択指示することを可能とするような選択メニュー（１）画面を表示してＩＣカード間の送金（電子マネー情報の移動）制御処理に入る。
【００２７】
これらの選択メニュー画面について、図３と図４を用いて説明する。図３は、２枚のＩＣカード１ａ，１ｂが接続されていた場合の選択メニュー（１）画面である。選択スイッチ２７を操作してカーソル３０を移動させることにより、電子マネー情報の移動方向を選択的に指示できる。
【００２８】
図４は、１枚のＩＣカード１ａ（１ｂ）が接続されているときの選択メニュー（２）画面である。図３に示す選択メニュー（１）画面と同様に、選択スイッチ２７を操作してカーソル３０を移動させることにより、電子マネー情報の移動方向を選択的に指示できる。
【００２９】
図４に示した選択メニュー（２）画面において選択スイッチ２７を操作して電子マネー情報の移動方向を選択指示した後に、金額釦２６で移動する電子マネー情報の値を入力してから決定釦２５を押した場合と、金額釦２６を操作せずに決定釦２５を押した場合における電子マネー情報の移動処理動作を図５を用いて説明する。
【００３０】
図５は、演算処理部２９における制御処理動作を示すフローチャートであり、図４に示した選択メニュー（２）画面から電子マネー情報の移動の実行迄を示している。
【００３１】
ステップ２０１において、決定釦２５が操作されたことを検出すると、ステップ２０２に進んでこの決定釦２５の操作の前に金額釦２６が操作されて電子マネー情報の値（移動金額）が設定されているか否かを判別する。電子マネー情報の移動金額が設定されている場合は、ステップ２０３に進んで、先ず、外部機器接続端子８を介してモデム装置５を制御し、通信回線３を介して電子マネー情報の移動が可能な状態とする。次に、図４に示した選択メニュー（２）画面で選択した移動方向の設定値に従って送金方向データ送出部２０から電子マネー情報の移動方向を示すデータを送出させる。その後、ステップ２０４に進んでＩＣカード送金方向切替器１３と外部切替器１４及び送金方向切替器１２を設定し、ステップ２０５に進み、モデム装置５と通信回線３を介して他の機器との間で電子マネー情報の移動を行う。
【００３２】
一方、決定釦２５の操作前に金額釦２６を操作して電子マネー情報の移動する値（移動金額）が設定されていない場合は、ステップ２０２からステップ２０６に移り、先ず、外部機器接続端子８を介してモデム装置５を制御し、通信回線３を介して電子マネー情報の移動が可能な状態とする。次に、送金方向検出部２１が検出した他の機器から送られてくる送金方向を示すデータに基づいて送金方向を検出する。その後、ステップ２０７に進んで、送金方向データに従ってＩＣカード送金方向切替器１３と外部切替器１４及び送金方向切替器１２を設定し、更にステップ２０７に進んでモデム装置５と通信回線３を介して他の機器との間で電子マネー情報の移動を行う。
【００３３】
以上の電子マネー情報移動制御処理動作において、通信回線３を介して接続すべき相手は、この実施形態では、通常は、回線切替器９により通信回線３に接続される電話機４を用いた回線接続動作により接続されるように定めている。その後、演算処理部２９によりモデム装置５が制御され、電子マネー情報の移動のために制御信号６により回線切替器９が制御される。回線切替器９は、モデム装置５を通信回線３に接続すると共に電話機４を通信回線３から切り離して音声記録再生部１０の出力回路に接続する。音声記録再生部１０は、予め記録させた保留音を出力する。
【００３４】
以上に述べたような各種の動作を行う本発明にな電子財布の第１の実施形態の効果を以下に述べる。
【００３５】
この実施形態は、取り引き釦２３を押すだけで、接続されたＩＣカード１の枚数や接続された機器の構成に応じた電子マネー情報の移動方向を、ＩＣカード間や外部の他の機器との間に、容易に設定することができる。このとき、外部の他の機器が使用可能か否も自動的に判別する。使用者が選択指示する機能選択操作も必要最低限の操作となって指示操作が容易となる。
【００３６】
なお、この実施例形態では、２枚のＩＣカード１ａ，１ｂが接続されているときには、外部機器接続端子８に接続された外部機器の検出を行わずに、この２枚のＩＣカード間の電子マネー情報の移動と見做すようにして選択肢を減らしている。しかし、選択肢が多くなることを許容する実施形態では、外部機器接続端子８に接続された外部機器の有無も検出し、外部機器が存在するときには該外部機器も含めた電子マネー情報の移動の総ての組み合わせを選択肢として表示し、外部機器も含めた電子マネー情報移動制御を実行するようにすることができる。このときには、送金方向の初期データは、ＩＣカード間の送金とすることにより送金方向選択指示操作を簡単にすることができる。
【００３７】
送金方向を定める必要のないときは、取り引き釦２３を操作した後に直ぐに決定釦２５を操作することで、外部に接続された他の機器から与えられる送金方向データに従って設定されるため選択操作が不要となる。
【００３８】
外部機器の判別に用いるデータ列は、演算処理部２９とは別に設けたデータ記憶媒体２２に記憶させたことで、このデータ記憶媒体２２を交換することにより外部機器の判別に用いるデータ列を容易に変えることができる。
【００３９】
また、回線接続動作に用いた電話機４は、電子マネー情報の送受信中は通信回線３から切り離して音声記録再生部１０に接続することにより保留音を発生させるように使用することで、使用者は電子マネー情報の送受信中であることを音で知ることができる効果が得られる。
【００４０】
次に、本発明になる電子財布の第２の実施形態を図６を用いて説明する。図６は、本発明になる電子財布の第２の実施形態の構成を示すブロック図であり、第１の実施形態と同一の構成手段には同一の参照符号を付し、重複する説明は省略する。
【００４１】
この第２の実施形態において前述した第１の実施形態と異なる特徴は、一括送金機能と一括引き出し機能を付加し、一括送金釦３１と一括引き出し釦３２を設けた点にある。一括送金機能は、ＩＣカード接続部１１ａ（１１ｂ）に接続されたＩＣカード１ａ（１ｂ）に格納されている電子マネー情報を一括して送金する機能である。また、一括引き出し機能は、通信回線３を介して接続された外部機器から受け取ることができる電子マネー情報の総てを一括して受け取る機能である。これらの機能を実現する制御処理は、演算処理部２９に組み込まれたプログラムの実行によって実現される。
【００４２】
この第２の実施形態において、演算処理部２９は、一括送金釦３１からの操作信号を入力すると、先ず、ＩＣカード検出器１５ａ，１５ｂの出力信号を検出し、ＩＣカード接続部１１ａ，１１ｂに接続されているＩＣカード１ａ（１ｂ）が１枚の場合には、このＩＣカード１ａ（１ｂ）に格納されている電子マネー情報の値を読み取る。次に、外部機器接続端子８に接続されたモデム装置５を検出する。その後、読み取った電子マネー情報の値の総てをモデム装置５と通信回線３を介して接続された他の機器へ送り出す制御処理を行う。この第２の実施形態では、外部機器への電子マネー情報の送り出しが終了するまでを１つの釦３１を操作することで行うことができる。
【００４３】
次に、一括引き出し釦３２からの操作信号を入力する（第１回目）と、先ず、ＩＣカード検出器１５ａ，１５ｂの出力信号を検出し、ＩＣカード接続部１１ａ，１１ｂに接続されているＩＣカード１ａ（１ｂ）が１枚の場合には、外部機器接続端子８に接続されたモデム装置５を検出する。次に、モデム装置５を制御して通信回線３を介して他の機器から受け取ることができる電子マネー情報の値の情報を取得し、この情報を残高情報として表示部２８に表示する。そして、もう一度この一括引き出し釦３２からの操作信号を入力する（第２回目）と、この受け取ることができる電子マネー情報の値の総てをモデム装置５と通信回線３を介して他の機器から受け取る制御処理を行う。他の機器からの指示に基づく操作を除き、他の機器から電子マネー情報を受け取る制御処理が終了するまでを１つの釦３２を操作することで行うことができる。
【００４４】
この第２の実施形態によれば、次のような効果が得られる。
【００４５】
この第２の実施形態では、ＩＣカード１ａ（１ｂ）に格納されている電子マネー情報の全額を、例えば銀行側に設置された他の機器に一括して送金する電子マネー情報の移動を１つの釦３１の操作のみで行なうことができる。また、例えば、銀行側に設置された他の機器に格納された引き出し可能な電子マネー情報の総ての受け取りを、１つの釦３２の操作のみで行なうことができる。
【００４６】
尚、この第２の実施形態の説明では、一括引き出し釦３２を操作することで他の機器に格納された引き出し可能な電子マネー情報の総てを受け取る制御処理を例示したが、必要に応じて、予め設定した一定額の電子マネー情報を一括して引き出すようにすることもできる。
【００４７】
次に、本発明になる電子財布の第３の実施形態を図７を用いて説明する。図７は、本発明になる電子財布の第３の実施形態の構成を示すブロック図であり、第１の実施形態と同一の構成手段には同一の参照符号を付し、重複する説明は省略する。
【００４８】
この第３の実施形態において前述した第１の実施形態と異なる特徴は、外部機器の接続を判別するために外部機器判別スイッチ３３を設けた点である。この外部機器判別スイッチ３３は外部機器接続端子８に隣接して設置され、該外部機器接続端子８に接続されるモデム装置５側の端子箱３４が当接することでスイッチが入る構成となっている。演算制御部２９は、この外部機器判別スイッチ３３の出力信号を入力して外部機器接続端子８に外部機器が接続されているか否かを判別する。
【００４９】
外部機器接続端子８にモデム装置５側の端子箱３４が接続されると、外部機器判別スイッチ３３が動作してその信号が演算処理部２９に伝えられる。この実施形態では、外部機器接続端子８に外部機器が接続されているか否かの検出（判別）をこの外部機器判別端子３３からの信号で行う。他の制御処理は、第１の実施形態と同様である。
【００５０】
この第３の実施形態では、外部機器接続端子８に外部機器が接続されているか否かの判別を外部機器判別スイッチ３３からの信号を使用することで、第１の実施形態に比べて制御処理が簡単になる効果がある。尚、この実施形態では、外部機器判別スイッチ３３によって外部機器を判別する信号を生成しているが、例えば外部機器接続端子８の中の端子に外部装置の側から信号を渡し、この信号を受け取ることで外部機器の接続を検出する構成でも同様な効果を得ることができることは言うまでもない。
【００５１】
次に、本発明になる電子財布の第４の実施形態を図８を用いて説明する。図８は、本発明になる電子財布の第４の実施形態の構成を示すブロック図であり、第１の実施形態と同一の構成手段には同一の参照符号を付し、重複する説明は省略する。
【００５２】
この第４の実施形態において前述した第１の実施形態と異なる点は、電子マネー情報の移動と音声情報の移動を並行して行うことができるようにしたことにある。多重信号分割装置３５は、通信回線３を経由する信号をデジタルデータ信号３６と音声情報信号３７に分別し、音声信号３７を電話機４に分岐する。そして、デジタルデータ信号３６は、電子マネー情報を移動するために外部機器接続端子８を介して電子財布本体部２に分岐させる。
【００５３】
この第４の実施形態では、通信回線３を経由する回線接続制御は、第１の実施形態と同様に電話機４で行う。回線接続後は、デジタルデータ信号３６を用いて電子マネー情報の移動を行う。このとき、電話機４は音声情報信号を送受信する。他の動作は、第１の実施形態と同様である。
【００５４】
このような実施形態によれば、電子マネー情報の送受信を行いながら、電話機４を用いた音声情報信号の送受信を行って、例えば、電子財布本体部２の操作方法の案内や他の音声情報を送受信（放音）することができる。
【００５５】
【発明の効果】
本発明は、２つのＩＣカードが接続されていることを検出したときには自動的に該２つのＩＣカード間での電子マネー情報の移動を制御し、１つのＩＣカードが接続されていることを検出したときには一括引き出し釦または取り引き釦の操作によって移動方向を設定することなく自動的に前記ＩＣカードと外部機器との間での電子マネー情報の移動を制御するようにしているので、電子マネー移動のための指示操作が容易になる。
【００５６】
また、一括引き出し釦が操作されたときには電子マネー情報の総てまたは予め設定した値を外部機器からＩＣカードに受け取り、取り引き釦が操作されたときにはその後に指示決定釦を操作することによってＩＣカードと外部機器の間で電子マネー情報を移動することができる。
【図面の簡単な説明】
【図１】本発明になる電子財布の第１の実施形態の構成を示すブロック図である。
【図２】図１に示した本発明になる電子財布における演算処理部が実行する制御処理のフローチャートである。
【図３】図１に示した本発明になる電子財布における選択メニュー画面である。
【図４】図１に示した本発明になる電子財布における選択メニュー画面である。
【図５】図１に示した本発明になる電子財布における演算制御部が実行する制御処理のフローチャートである。
【図６】本発明になる電子財布の第２の実施形態の構成を示すブロック図である。
【図７】本発明になる電子財布の第３の実施形態の構成を示すブロック図である。
【図８】本発明になる電子財布の第４の実施形態の構成を示すブロック図である。
【符号の説明】
１ａ，１ｂ…ＩＣカード、２…電子財布本体部、３…通信回線、４…電話機、５…モデム装置、８…外部機器接続端子、１１ａ，１１ｂ…ＩＣカード接続部、１５ａ，１５ｂ…ＩＣカード検出器、２２…データ列記憶媒体、２９…演算処理部。
【図１】
0004204827.tif 000002
【図２】
0004204827.tif 000003
【図３】
0004204827.tif 000004
【図４】
0004204827.tif 000005
【図５】
0004204827.tif 000006
【図６】
0004204827.tif 000007
【図７】
0004204827.tif 000008
【図８】
0004204827.tif 000009